(57)【要約】【課題】建物内の居者の生活シーンや要望に応じて部屋空間内の温度環境を調整すること。【解決手段】部屋空間（１０）には、室温センサ（３２）と、屋外へとつながる２つの窓（３３，３４）と、空調装置（３５）とが設けられている。制御部（２０）は、自然利用優先モードおよび快適性優先モードのいずれかを選択して、部屋空間（１０）における温度環境の調整制御を行う。制御部（２０）は、自然利用優先モードにおいて、室温に基づいて２つの窓（３３，３４）の開閉のみを行なう。快適性優先モードにおいては、室温および外気温センサ（３６）により検知された外気温に基づいて、２つの窓（３３，３４）の開閉および空調装置（３５）の運転制御を行なう。【選択図】図１
2015152201.tif 000002
【特許請求の範囲】
【請求項１】
建物における窓開閉システムであって、
前記建物内の部屋空間に設けられ、屋外へとつながる２つの窓と、
前記部屋空間に設けられた空調装置と、
外気温を検知するための外気温センサと、
前記部屋空間内の室温を検知する室温センサと、
自然利用優先モードおよび快適性優先モードのいずれかを選択して、前記部屋空間における温度環境の調整制御を行うための制御手段とを備え、
前記制御手段は、前記自然利用優先モードにおいて、前記室温センサにより検知された室温に基づいて前記２つの窓の開閉のみを行ない、前記快適性優先モードにおいては、前記室温センサにより検知された室温および前記外気温センサにより検知された外気温に基づいて、前記２つの窓の開閉および前記空調装置の運転制御を行なう、窓開閉システム。
【請求項２】
ユーザより設定温度の入力を受け付ける操作手段をさらに備え、
前記制御手段は、前記自然利用優先モードにおいて、室温が前記設定温度よりも所定温度低くなったことを検知した場合に、前記２つの窓を閉鎖する、請求項１に記載の窓開閉システム。
【請求項３】
ユーザより設定温度の入力を受け付ける操作手段をさらに備え、
前記制御手段は、前記快適性優先モードにおいて、前記空調装置の運転中に、室温が前記設定温度以下となり、かつ、外気温が少なくとも前記設定温度よりも低いことを検知した場合、前記空調装置の運転を所定時間継続してから、前記空調装置の運転を停止し、前記２つの窓を開放する、請求項１に記載の窓開閉システム。
【請求項４】
前記建物は、複数の前記部屋空間を有しており、
前記複数の部屋空間のうちの所定の部屋空間に設けられ、ユーザより、前記複数の部屋空間全てのモードを一括選択する指示を受け付ける操作手段をさらに備え、
前記制御手段は、前記操作手段が受け付けた指示に応じて、前記複数の部屋空間における調整制御を統括して実行する、請求項１に記載の窓開閉システム。
【請求項５】
前記部屋空間は、互いに隣接し、隣接部分に開口を有する居室および非居室を含み、
前記居室には、前記２つの窓のうちの一方と、前記空調装置と、前記室温センサとが設けられ、前記非居室には、前記２つの窓のうちの他方が設けられている、請求項１に記載の窓開閉システム。
【請求項６】
建物における窓開閉システムであって、
前記建物内の部屋空間に設けられ、屋外へとつながる２つの窓と、
前記部屋空間に設けられた空調装置と、
外気温を検知するための外気温センサと、
前記部屋空間内の室温を検知する室温センサと、
前記室温センサにより検知された室温および前記外気温センサにより検知された外気温に基づいて、前記２つの窓の開閉および前記空調装置の運転制御を行なうことで、前記部屋空間における温度環境の調整制御を行うための制御手段とを備え、
前記制御手段は、前記空調装置の運転中に、室温が設定温度以下となり、かつ、外気温が前記設定温度よりも低いことを検知した場合、前記空調装置の運転を所定時間継続してから、前記空調装置の運転を停止し、前記２つの窓を開放する、窓開閉システム。
【請求項７】
建物における窓開閉システムであって、
前記建物内の部屋空間に設けられ、屋外へとつながる２つの窓と、
前記部屋空間内の室温を検知する室温センサと、
前記室温センサにより検知された室温に基づいて、前記２つの窓の開閉を行なうことで、前記部屋空間における温度環境の調整制御を行うための制御手段とを備え、
前記制御手段は、室温が設定温度よりも所定温度低くなったことを検知した場合に、前記２つの窓を閉鎖する、窓開閉システム。
【発明の詳細な説明】
【技術分野】
【０００１】
本発明は、窓開閉システムであって、特に、建物の部屋空間内における温度環境を調整するための窓開閉システムに関する。
【背景技術】
【０００２】
手動窓および電動窓に関わらず、既存窓の開閉操作は、一般的に、ユーザに委ねられている。一方で、窓を自動で開閉する制御システムも、従来から提案されている。
【０００３】
特開２００６−１８３９３６号公報（特許文献１）には、住宅の外壁に設けられた窓の開閉を制御することによって、室内環境を制御するシステムが開示されている。
【０００４】
また、特開平５−１８４１号公報（特許文献２）には、空調機と連動して窓の開閉を行う窓開閉装置が開示されている。
【先行技術文献】
【特許文献】
【０００５】
【特許文献１】特開２００６−１８３９３６号公報（特許第４４５２６１０号）
【特許文献２】特開平５−１８４１号公報
【発明の概要】
【発明が解決しようとする課題】
【０００６】
上述のような従来の窓開閉システムがたとえば住宅に適用されると、夏の就寝中にエアコンのタイマーが切れて室温が上昇した場合など、外気が少なくとも室温以下であれば、外気を取り込むために窓を開放する制御が行なわれる。しかし、このような制御のみでは、居住者の生活シーンや要望に応じて、部屋空間内の温度環境を調整することができない。
【０００７】
本発明は、上記のような課題を解決するためになされたものであって、その目的は、建物内で過ごす者（以下「居者」という）の生活シーンや要望に応じて部屋空間内の温度環境を調整することのできる窓開閉制御システムを提供することである。
【課題を解決するための手段】
【０００８】
この発明のある局面に従う窓開閉システムは、建物における窓開閉システムであって、建物内の部屋空間に設けられ、屋外へとつながる２つの窓と、部屋空間に設けられた空調装置と、外気温を検知するための外気温センサと、部屋空間内の室温を検知する室温センサと、自然利用優先モードおよび快適性優先モードのいずれかを選択して、部屋空間における温度環境の調整制御を行うための制御手段とを備える。制御手段は、自然利用優先モードにおいて、室温センサにより検知された室温に基づいて２つの窓の開閉のみを行なう。また、快適性優先モードにおいては、室温センサにより検知された室温および外気温センサにより検知された外気温に基づいて、２つの窓の開閉および空調装置の運転制御を行なう。
【０００９】
好ましくは、ユーザより設定温度の入力を受け付ける操作手段をさらに備え、制御手段は、自然利用優先モードにおいて、室温が設定温度よりも所定温度低くなったことを検知した場合に、２つの窓を閉鎖する。
【００１０】
好ましくは、ユーザより設定温度の入力を受け付ける操作手段をさらに備え、制御手段は、快適性優先モードにおいて、空調装置の運転中に、室温が設定温度以下となり、かつ、外気温が少なくとも設定温度よりも低いことを検知した場合、空調装置の運転を所定時間継続してから、空調装置の運転を停止し、２つの窓を開放する。
【００１１】
建物は、複数の部屋空間を有していてもよい。この場合、複数の部屋空間のうちの所定の部屋空間に設けられ、ユーザより、複数の部屋空間全てのモードを一括選択する指示を受け付ける操作手段をさらに備え、制御手段は、操作手段が受け付けた指示に応じて、複数の部屋空間における調整制御を統括して実行することが望ましい。
【００１２】
また、部屋空間は、互いに隣接し、隣接部分に開口を有する居室および非居室を含んでいてもよい。この場合、居室には、２つの窓のうちの一方と、空調装置と、室温センサとが設けられ、非居室には、２つの窓のうちの他方が設けられていればよい。
【００１３】
この発明の他の局面に従う窓開閉システムは、建物における窓開閉システムであって、建物内の部屋空間に設けられ、屋外へとつながる２つの窓と、部屋空間に設けられた空調装置と、外気温を検知するための外気温センサと、部屋空間内の室温を検知する室温センサと、室温センサにより検知された室温および外気温センサにより検知された外気温に基づいて、２つの窓の開閉および空調装置の運転制御を行なうことで、部屋空間における温度環境の調整制御を行うための制御手段とを備える。制御手段は、空調装置の運転中に、室温が設定温度以下となり、かつ、外気温が設定温度よりも低いことを検知した場合、空調装置の運転を所定時間継続してから、空調装置の運転を停止し、２つの窓を開放する。
【００１４】
この発明のさらに他の局面に従う窓開閉システムは、建物における窓開閉システムであって、建物内の部屋空間に設けられ、屋外へとつながる２つの窓と、部屋空間内の室温を検知する室温センサと、室温センサにより検知された室温に基づいて、２つの窓の開閉を行なうことで、部屋空間における温度環境の調整制御を行うための制御手段とを備える。制御手段は、室温が設定温度よりも所定温度低くなったことを検知した場合に、２つの窓を閉鎖する。
【発明の効果】
【００１５】
本発明によれば、居者の生活シーンや要望に応じて部屋空間内の温度環境を調整することができる。
【図面の簡単な説明】
【００１６】
【図１】本発明の実施の形態に係る窓開閉システムの全体構成を概念的に示す図である。
【図２】本発明の実施の形態に係る窓開閉システムの機能構成を示すブロック図である。
【図３】本発明の実施の形態における操作パネルの表示画面の一例を示す図である。
【図４】本発明の実施の形態における自然優先モード判定処理の流れを示すフローチャートである。
【図５】本発明の実施の形態における快適性優先モード判定処理の流れを示すフローチャートである。
【図６】本発明の実施の形態における操作パネルの表示画面の他の例を示す図である。
【図７】本発明の実施の形態における部屋空間の他の構成例を示す図である。
【発明を実施するための形態】
【００１７】
本発明の実施の形態について図面を参照しながら詳細に説明する。なお、図中同一または相当部分には同一符号を付してその説明は繰返さない。
【００１８】
＜構成について＞
はじめに、本実施の形態に係る窓開閉システム（以下「システム」と略す）の構成例について説明する。
【００１９】
図１は、本実施の形態に係るシステム１の全体構成を概念的に示す図である。図２は、本実施の形態に係るシステム１の機能構成を示すブロック図である。図１を参照して、システム１は、建物１００内の複数の部屋空間１０，１０ａ，１０ｂぞれぞれの温度環境を制御する。以下の説明では、建物１００は、たとえば住宅と仮定する。また、部屋空間１０，１０ａ，１０ｂは全て居室であり、それぞれ、リビング、寝室および洋室であると仮定する。
【００２０】
リビング１０には、コントローラの一例である操作パネル３１と、室温を検知する室温センサ３２と、少なくとも２つの窓３３，３４と、少なくとも冷房機能を有する空調装置（以下「ＲＡＣ（Room-Air-Conditioner）」という）３５とが設けられている。寝室１０ａおよび洋室１０ｂにも同様に、操作パネル３１ａ，３１ｂと、室温センサ３２ａ，３２ｂと、窓３３ａ，３４ａ，３３ｂ，３４ｂと、ＲＡＣ３５ａ，３５ｂとが設けられている。本実施の形態では、各部屋空間に設けられたこれらの構成部は、全て、制御装置２へ接続されている。つまり、制御装置２は、集中制御ＢＯＸとして機能している。
【００２１】
各部屋空間１０，１０ａ，１０ｂに設けられた上記構成部は、基本的にどの部屋空間においても同じ機能を有している。したがって、各構成部の説明においては、代表的に、リビング１０に備えられた構成部についての説明のみ行なう。
【００２２】
操作パネル３１は、各種情報を表示し、居者（ユーザ）からの指示を受付ける。本実施の形態において、「居者」は、建物１００に住む居住者であることとするが、居者には、建物１００を利用または管理する者なども含まれる。操作パネル３１は、受付けた指示に応じた指令信号を制御装置２（の制御部２０）に送信する。なお、本実施の形態では、コントローラは、操作パネルであることとするが、これに限らず、操作部と表示部とを個別に有するものであってもよい。
【００２３】
各窓３３，３４は、屋外へとつながる電動窓であり、モータ（図示せず）によって自動で開閉される。各窓３３，３４は、典型的には外壁に設けられている。ただし、窓３３，３４は、リビング１０を囲む（４つの）壁のうち、１つの壁上ではなく、互いに直交または対向する２つの壁にそれぞれ設けられていることが望ましい。窓３３，３４は、開放時に通風され、閉鎖時に通風が遮断されるものであれば、滑り出し窓や引違い窓など、その種類は問わない。
【００２４】
図１に示されるように、建物１００の外部には、外気温を検知する１つの外気温センサ３６が設けられている。また、１つの雨センサ３７がさらに設けられていてもよい。
【００２５】
図２を参照して、制御装置２は、システム１全体を制御する制御部２０と、各種データおよびプログラムを記憶する記憶部２１と、計時動作を行う計時部２２とを含む。
【００２６】
制御部２０は、部屋空間ごとに、温度環境の制御を行う。制御部２０は、たとえばＣＰＵ（Central Processing Unit）などの演算処理装置により実現される。ここでは、制御部２０がたとえばリビング１０内の温度環境を制御する場合について説明する。制御部２０は、その機能として第１調整制御部２０１および第２調整制御部２０２を含んでいる。第１調整制御部２０１は、自然利用優先モード（以下「自然優先モード」と略す）において、室温センサ３２により検知された室温に基づいて、窓３３，３４の開閉を行う。第２調整制御部２０２は、快適性優先モードにおいて、室温センサ３２により検知された室温と外気温センサ３６により検知された外気温とに基づいて、窓３３，３４の開閉およびＲＡＣ３５の運転制御を行なう。なお、図２では、第１調整制御部２０１および第２調整制御部２０２を１つずつ示しているが、これらは、部屋空間の数だけ設けられていてよい。
【００２７】
自然優先モードおよび快適性優先モードは、操作パネル３１においてユーザにより選択可能である。操作パネル３１の表示画面３１０の一例を図３に示す。図３を参照して、操作パネル３１の表示画面３１０には、モード選択の項目と、温度設定の項目とが表示されている。モード選択の項目には、「自然優先モード」を示すボタン３１１と、「快適性優先モード」を示すボタン３１２と、「電動窓開閉」を示すボタン３１３とが表示されている。温度設定の項目には、各モードでの制御基準値となる設定温度が表示されている。設定温度は、ユーザにより入力される。本実施の形態では、たとえば、プルダウン形式で表示される複数の温度からユーザが選択した温度が、設定温度として登録される。
【００２８】
ユーザにより「自然優先モード」のボタン３１１が選択された場合に、制御部２０は、第１調整制御部２０１を選択的に作動させる。ユーザにより「快適性優先モード」のボタン３１２が選択された場合に、制御部２０は、第２調整制御部２０２を選択的に作動させる。なお、図３においては、「自然優先モード」のボタン３１１が選択された状態が示されている。
【００２９】
第１調整制御部２０１は、室温センサ３２により検知された室温に基づいて、２つの窓３３，３４の開閉のみを行う。一般的に、室温の方が外気温よりも高いため、第１調整制御部２０１は、室温のみに基づいて、窓３３，３４の開閉制御を行う。このような、通風による排熱を行う自然優先モードは、典型的には、春、初夏および秋の季節に選択される。また、真夏であっても、帰宅直後のタイミングなどにおいて、居住者がすぐに対象の部屋空間を使用しない場合や、就寝時に選択されることが想定される。
【００３０】
第１調整制御部２０１は、室温と設定温度とを比較することにより窓３３，３４の開閉制御を行う。ただし、第１調整制御部２０１は、ハンチング制御を防止するために、窓３３，３４を閉鎖するタイミングを、室温が設定温度よりも所定温度以上低くなった時点としている。所定温度は、１〜３℃の間であればよく、２℃であることが望ましい。この理由としては、窓３３，３４を閉鎖した場合、その直後から温度上昇が始まり、一般的には、２時間後に２℃程度上昇するということが、実験により得られているためである。
【００３１】
第２調整制御部２０２は、室温センサ３２により検知された室温と外気温センサ３６により検知された外気温とに基づいて、窓３３，３４の開閉、および、ＲＡＣ３５の運転制御を行う。このように、通風による排熱（自然空冷）とＲＡＣ３５による機械空冷との両方を行う快適性優先モードは、典型的には真夏の就寝時や、日中の熱中症対策として選択されることが想定される。
【００３２】
第２調整制御部２０２は、ＲＡＣ３５の運転中に、室温が設定温度以下となり、かつ、外気温が少なくとも設定温度よりも低いことを検知した場合、ＲＡＣ３５による空冷から窓３３，３４を介した自然空冷に切り替える。ただし、上記条件を満たした場合に直ぐに切替えるのではなく、蓄冷期間を設けることが望ましい。すなわち、上記条件を満たした場合、ＲＡＣ３５の運転を所定時間（たとえば１時間）継続してから、ＲＡＣ３５の運転を停止し、窓３３，３４を開放することが望ましい。この理由としては、部屋空間１０の室温が設定温度に達し、かつ、外気が低温になったとしても、部屋空間１０内の家具や内装などに蓄積された熱が大きい場合、ＲＡＣ３５を停止すると室温が直ぐに上昇する可能性があるからである。
【００３３】
また、内外温度差が小さい場合は、通風が十分に行えず、部屋空間１０内の熱気を効果的に排出できない可能性がある。したがって、第２調整制御部２０２は、自然空冷に切り替えるための外気温の条件としては、設定温度よりも所定温度低いか否かを判定することが望ましい。ここでの所定温度も、１〜３℃の間であればよく、２℃であることが望ましい。
【００３４】
記憶部２１には、温度環境を自然優先モードおよび快適性優先モードにてそれぞれ制御するためのプログラムと、部屋空間ごとの設定温度とが記憶されている。記憶部２１は、たとえばフラッシュメモリなどの不揮発性記憶装置により実現される。計時部２２は、制御部２０からの指示に応じて時間を計測するタイマである。なお、計時部２２は、常に日時を計測するクロックであってもよい。
【００３５】
なお、制御装置２は、図示しない外部装置（たとえば携帯端末やパーソナルコンピュータ）との通信を行うための通信Ｉ／Ｆ（Interface）２３、および、記録媒体２５（たとえばＣＤ−ＲＯＭ（Compact Disc-ROM）やメモリカード）からのデータやプログラムを読み出しおよび書き込み可能な駆動部２４をさらに含んでいてもよい。この場合、制御装置２は、通信Ｉ／Ｆ２３を介して外部装置から操作信号を受け付けてもよい。また、各部屋空間の温度環境を自然優先モードおよび快適性優先モードにてそれぞれ制御するためのプログラムが、駆動部２４によって記録媒体２５から読み出されて、各モードでの判定処理が行われてもよい。
【００３６】
＜動作について＞
次に、各モード時におけるシステム１の動作について説明する。ここでは、リビング１０内の操作パネル３１が操作されて、リビング１０内の温度を調整制御する例について説明する。
【００３７】
（自然優先モード）
図４は、本実施の形態における自然優先モード判定処理の流れを示すフローチャートである。図４に示される処理は、予めプログラムとして記憶部２１に格納されており、制御部２０が当該プログラムを読み出して実行することにより実現される。この処理は、ユーザにより自然優先モードが選択された場合に、第１調整制御部２０１が作動されることによって開始される。なお、開始時には、２つの窓３３，３４は閉鎖されているものとする。
【００３８】
図４を参照して、第１調整制御部２０１は、はじめに、記憶部２１に記憶されているリビング１０についての設定温度“Ｔｓｅｔ”を読み出す（ステップＳ１１）。続いて、第１調整制御部２０１は、室温センサ３２より得られるリビング１０の室温が、設定温度Ｔｓｅｔより高いか否かを判定する（ステップＳ１２）。室温が設定温度Ｔｓｅｔ以下であれば（ステップＳ１２にてＮＯ）、窓３３，３４は閉鎖したままとし、室温の検出を継続する。
【００３９】
これに対し、室温が設定温度Ｔｓｅｔより高いと判定した場合には（ステップＳ１２にてＹＥＳ）、第１調整制御部２０１は、窓３３，３４を同時に開放する（ステップＳ１３）。これにより、窓３３，３４を介して、リビング１０内に外気が通風されるため、リビング１０内にこもっていた熱気を排熱することができる。
【００４０】
次に、第１調整制御部２０１は、室温が、設定温度Ｔｓｅｔよりも２℃以上低くなったか否かを判定する（ステップＳ１４）。室温が、設定温度Ｔｓｅｔよりも２℃以上低くなっていなければ（ステップＳ１４にてＮＯ）、窓３３，３４は開放したままとする。これに対し、室温が、設定温度よりも２℃以上低くなったと判定した場合には（ステップＳ１４にてＹＥＳ）、第１調整制御部２０１は、窓３３，３４を同時に閉鎖する（ステップＳ１５）。その後、処理はステップＳ１２に戻され、上記した一連の処理が繰返される。なお、上記一連の処理は、たとえば、操作パネル３１において、「自然優先モード」のボタン３１１が非選択状態とされるまで継続される。
【００４１】
このように、本実施の形態では、窓３３，３４を開放したことにより室温が低下し、室温が設定温度以下となったとしても、直ぐに窓３３，３４を閉鎖しないようにしている。これにより、窓３３，３４の頻繁な動作が回避されるため、居住者は部屋空間１０において快適に過ごすことができる。
【００４２】
（快適性優先モード）
図５は、本実施の形態における快適性優先モード判定処理の流れを示すフローチャートである。図５に示される処理は、予めプログラムとして記憶部２１に格納されており、制御部２０が当該プログラムを読み出して実行することにより実現される。この処理は、ユーザにより快適性優先モードが選択された場合に、第２調整制御部２０２が作動されることによって開始される。なお、開始時には、２つの窓３３，３４は閉鎖され、かつ、ＲＡＣ３５の運転は停止されているものとする。
【００４３】
図５を参照して、第２調整制御部２０２は、はじめに、記憶部２１に記憶されているリビング１０についての設定温度“Ｔｓｅｔ”を読み出す（ステップＳ２１）。続いて、第２調整制御部２０２は、室温センサ３２より得られるリビング１０の室温が高温か否か、すなわち、設定温度Ｔｓｅｔよりたとえば２℃以上高いか否かを判定する（ステップＳ２２）。リビング１０の室温が高温であると検知した場合（ステップＳ２２にてＹＥＳ）、ステップＳ２３へ進み、そうでなければ、ステップＳ３０へ進む。
【００４４】
ステップＳ２３において、第２調整制御部２０２は、リビング１０内のＲＡＣ３５に運転開始を示す指示信号を送信し、空調をＯＮする（ステップＳ２３）。その後、室温が設定温度Ｔｓｅｔ以下となったとすると（ステップＳ２４にてＹＥＳ）、第２調整制御部２０２は、外気温センサ３６より得られる外気温が低温になったか否か、すなわち、設定温度Ｔｓｅｔよりも２℃以上低くなったか否かを判定する（ステップＳ２５）。外気が低温になっていないと判定された場合（ステップＳ２５にてＮＯ）、ＲＡＣ３５による温度制御が継続される。これに対し、外気が低温になったと判定された場合に（ステップＳ２５にてＹＥＳ）、第２調整制御部２０２は、計時部２２に計時開始を指示する。
【００４５】
続いて、第２調整制御部２０２は、計時部２２による計時時間が１時間を経過したか否かを判定する（ステップＳ２６）。外気温が低温になってから１時間経過したと判定した場合に（ステップＳ２６にてＹＥＳ）、第２調整制御部２０２は、ＲＡＣ３５の運転を停止して、窓３３，３４を開放する（ステップＳ２７）。これにより、ＲＡＣ３５による空冷から、通風のみによる自然空冷（排熱）に切り替えられる。なお、計時部２２による計時動作は、たとえばこのタイミングで停止される。
【００４６】
その後、室温が設定温度よりも２℃以上低くなっていなければ（ステップＳ２８にてＮＯ）、ステップＳ２２に戻る。これに対し、室内が十分に冷やされ、室温が設定温度よりも２℃以上低くなったと判定された場合に（ステップＳ２８にてＹＥＳ）、窓３３，３４を閉鎖する（ステップＳ２９）。これにより、室内の冷え過ぎを防止することができる。窓３３，３４が閉鎖されると、ステップＳ２２に戻る。
【００４７】
ステップＳ３０では、第２調整制御部２０２は、室温が設定温度Ｔｓｅｔよりも高いか否かを判定する。室温が設定温度Ｔｓｅｔ以下と判定された場合（ステップＳ３０にてＮＯ）、窓３３，３４の開閉状態が維持されたまま、処理はステップＳ２２に戻される。つまり、窓３３，３４が閉鎖状態であれば閉鎖したままとされ、窓３３，３４が開放状態であれば開放したままとされる。一方、室温が設定温度Ｔｓｅｔよりも高いと判定すると（ステップＳ３０にてＹＥＳ）、第２調整制御部２０２は、外気温が設定温度Ｔｓｅｔよりも２℃以上低いか否かをさらに判定する（ステップＳ３１）。
【００４８】
外気温が設定温度Ｔｓｅｔよりも２℃以上低くない場合には（ステップＳ３１にてＮＯ）、上記ステップＳ２３へ移行し、ＲＡＣ３５の運転が開始される。なお、ステップＳ３１で外気温が低温か否かが判定される際に窓３３，３４が開放されている場合には、この段階で窓３３，３４が閉鎖されるものとする。
【００４９】
一方、外気温が設定温度Ｔｓｅｔよりも２℃以上低いと判定された場合には（ステップＳ３１にてＹＥＳ）、窓３３，３４を開放し、通風のみによる自然空冷が実行される（ステップＳ３２）。この処理が終わると、上記ステップＳ２８に進み、上述の処理が行われる。上記一連の処理は、たとえば、操作パネル３１によって、「快適性優先モード」のボタン３１２が非選択状態とされるまで継続される。
【００５０】
一般的に、真夏の就寝時にはＲＡＣ３５のタイマーを掛けて就寝することが多いが、このような場合、タイマーが切れると、窓３３，３４が閉まっているため非常に寝苦しく、目が覚めてしまうことがある。しかし、快適性優先モードによれば、部屋空間１０の室温と外気温とに応じて、ＲＡＣ３５による空冷から通風のみによる自然空冷に切り替えられる。したがって、真夜中の寝苦しさを解消することができる。また、外気温の低下に伴い室温が低下してきた場合には、窓３３，３４が閉鎖されるため、明け方に起こりやすい寝冷えを防止することもできる。
【００５１】
上述のように、本実施の形態によれば、自然利用モードおよび快適性優先モードとの両方を備えているため、最大限の自然風の利用と最小限の冷房の利用とによって、適切な温度環境を作り出すことができる。その結果、建物１００内での熱中症の発症を予防することもでき、冷房を苦手とする高齢者に対しても、夏の健康的な暮らしを提供することができる。
【００５２】
なお、本実施の形態では、温度の検知結果のみに基づいて、窓３３，３４を開放することとしたが、窓３３，３４を開放する前に、雨センサ３７によって降雨の有無をさらに検出することが望ましい。つまり、窓３３，３４は、降雨が検知されていない場合にのみ、開放されることが望ましい。その場合、一旦、降雨が検知されてから所定時間（たとえば１０分）降雨が検知されなくなった場合には、窓３３，３４を開放することとしてもよい。
【００５３】
また、本実施の形態では、操作パネル３１において、対象の部屋空間１０についてのみモードを選択可能としていたが、所定の部屋空間の操作パネルにおいては、全部屋空間１０，１０ａ，１０ｂのモードを一括して選択できるように構成されていてもよい。具体的には、たとえばリビング１０の操作パネル３１は、全部屋空間１０，１０ａ，１０ｂのモードを一括選択可能としてもよい。この場合の操作パネル３１の表示画面３１０Ａの一例を図６に示す。
【００５４】
図６を参照して、表示画面３１０Ａには、モードの選択に関して、一括モード選択と個別モード選択との２つの項目が表示されている。個別モード選択の項目は、図３に示した表示画面３１０と同様のボタン３１１，３１２，３１３が表示されている。一括モード選択の項目には、「自然優先モード」を示すボタン３１５と、「快適性優先モード」を示すボタン３１６とが表示されている。ユーザにより「自然優先モード」のボタン３１５が選択された場合に、制御部２０は、全ての部屋空間１０，１０ａ，１０ｂにおいて、第１調整制御部２０１を選択的に作動させる。ユーザにより「快適性優先モード」のボタン３１６が選択された場合に、制御部２０は、全ての部屋空間１０，１０ａ，１０ｂにおいて、第２調整制御部２０２を選択的に作動させる。なお、図６においては、「快適性優先モード」のボタン３１６が選択された状態が示されている。
【００５５】
このように、ユーザより一括モード選択の指示が入力された場合には、制御部２０は、全部屋空間１０，１０ａ，１０ｂにおける温度環境の調整制御を統括して実行する。昨今では、共働き家庭の増加や防犯意識の向上により、日中外出して窓を閉めきる生活が増えているが、全部屋空間１０の温度調整を一括指示できるため、帰宅直後の居住者の窓開け行為を補助することができる。つまり、全部屋空間１０，１０ａ，１０ｂの排熱を容易に行うことができる。また、全部屋空間１０，１０ａ，１０ｂの温度環境を、一定にすることもできる。なお、このような一括モードを選択可能な操作パネルは、たとえば玄関など、調整制御対象の部屋空間以外の箇所（たとえば非居室）に設けられていてもよい。
【００５６】
また、本実施の形態では、各部屋空間１０，１０ａ，１０ｂは、いずれも居室であることとしたが、図７に示されるように、部屋空間は、居室１１と非居室１２とで構成されていてもよい。このような部屋空間を、図７では「部屋空間１０ｃ」として示している。
【００５７】
図７を参照して、部屋空間１０ｃにおいて、居室１１はたとえば洋室であり、非居室１２はたとえば廊下である。この場合、居室１１に、操作パネル３１ｃと、室温センサ３２ｃと、一方の窓３３ｃと、ＲＡＣ３５ｃとが設けられている。非居室１２には、他方の窓３４ｃのみが設けられている。これらの構成部は全て、制御装置２の制御部２０に接続されているものとする。
【００５８】
この場合、居室１１と非居室１２との間に設けられた建具１３を居住者が開放しておことで、建具１３を介して、居室１１の窓３３ｃと非居室１２の窓３４ｃとの間の通風が可能とされる。居室１１に２つの窓３３，３４を設けることが困難な場合などに、このように、他方の窓３４ｃを隣接する非居室１２に設けることで、どの居室においても自然風による排熱を行うことができる。
【００５９】
また、非居室１２の窓３４ｃは、同一フロアにおける他居室、または、階段を介し、階の異なる居室の他方の窓として兼用されてもよい。
【００６０】
なお、本実施の形態におけるシステム１では、２つのモードにより動作可能としたが、いずれか一方のモードのみによって動作可能であればよい。つまり、制御部２０は、第１調整制御部２０１および第２調整制御部２０２のいずれか一方のみを含んでいてもよい。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  窓開閉システム、２  制御装置、１０，１０ａ，１０ｂ，１０ｃ  部屋空間、１１  居室、１２  非居室、１３  建具、２０  制御部、２１  記憶部、２２  計時部、２３  通信Ｉ／Ｆ、２４  駆動部、２５  記録媒体、３１，３１ａ，３１ｂ，３１ｃ  操作パネル、３２，３２ａ，３２ｂ，３２ｃ  室温センサ、３３，３４，３３ａ，３４ａ，３３ｂ，３４ｂ，３３ｃ，３４ｃ  窓、３５，３５ａ，３５ｂ，３５ｃ  ＲＡＣ（空調装置）、３６  外気温センサ、３７  雨センサ、１００  建物、２０１  第１調整制御部、２０２  第２調整制御部。
【図１】
2015152201.tif 000003
【図２】
2015152201.tif 000004
【図３】
2015152201.tif 000005
【図４】
2015152201.tif 000006
【図５】
2015152201.tif 000007
【図６】
2015152201.tif 000008
【図７】
2015152201.tif 000009